(57)【要約】【課題】照明装置の光が透明板に反射して外部へ漏れるのを防止する。【解決手段】前面開口部にフロントガラス１０８が嵌め込まれた断熱箱体１６に収納室８６を内部画成する。フロントガラス１０８は、外ガラス１０８ａおよび内ガラス１０８ｂを所定間隔離間して構成され、内部にスペースＳが画成される。スペースＳにホルダ１２２を介してＬＥＤ照明装置１２０を配設すると共に、ホルダ１２２の保持部２０２に遮蔽部材５０が収納保持される。遮蔽部材５０の内ガラス１０８ｂ側の面は、凹凸が付された散乱面５８とされ、該散乱面５８は透過性を有した接着糊５２を介して内ガラス１０８ｂに貼着される。これにより、内ガラス１０８ｂで反射されたＬＥＤ照明装置１２０の反射光Ｌは、散乱面５８で散乱され、反射光Ｌが外部へ漏れるのを防止する。【選択図】図２
2007289350.tif 000002
【特許請求の範囲】
【請求項１】
前面開口部(56)に透明板(108b)が嵌め込まれた箱体(16)に、物品を収納する収納室(86)が内部画成されると共に、透明板(108b)の外側に収納室(86)を照らす照明装置(120)が設けられたショーケースにおいて、
前記透明板(108b)の外面における照明装置(120)近傍に、透明板(108b)による照明装置(120)の反射光(L)を遮蔽する遮蔽部材(50)が、光透過性を備えた粘着材(52)を介して貼着され、
前記遮蔽部材(50)における透明板(108b)への貼着面に凹凸状の散乱面(58)を形成し、該散乱面(58)に到来した前記反射光(L)を散乱させて外部へ漏れるのを防止するようにした
ことを特徴とするショーケース。
【請求項２】
前記前面開口部(56)に、一対の透明板(108a,108b)を内外に所定間隔離間して対向配置することで、両透明板(108a,108b)間に空間(S)を画成した透明部材(108)が嵌め込まれ、前記照明装置(120)をホルダ(122)を介して空間(S)に収納保持すると共に、内側の透明板(108b)における空間(S)側に臨む面に、ホルダ(122)近傍を通過して外部へ漏れる前記反射光(L1)を遮蔽するよう前記遮蔽部材(50)を該ホルダ(122)に隣接させて貼着した請求項１記載のショーケース。
【請求項３】
前記ホルダ(122)の前端に前方へ向けて延出する保持部(202)が形成され、該保持部(202)と前記内側の透明板(108b)との間に前記遮蔽部材(50)を貼着した請求項２記載のショーケース。
【発明の詳細な説明】
【技術分野】
【０００１】
この発明は、飲食店等のカウンタに設置されて、収納した物品を展示しつつ保存するショーケースに関するものである。
【背景技術】
【０００２】
食品や飲料品等の物品を冷蔵保存する冷蔵ショーケースとしては、例えば寿司屋等のカウンタに設置され、収納した寿司ネタ等の生鮮食材を展示しながら冷蔵保存するネタケースと呼ばれるものがある(特許文献１参照)。例えば図６および図７に示すように、冷蔵ショーケース１０は、物品を冷蔵保存する収納室１２と、この収納室１２を冷却するための圧縮機や凝縮器等の冷却装置(何れも図示せず)が配設される機械室１４とが隣接して設けられている。収納室１２は、外装と内装との間にウレタンフォーム等の断熱材３２,３２を充填して断熱構造とされた断熱箱体１６の内部に画成され、該断熱箱体１６の前側に形成した前面開口部５６にフロントガラス１８が嵌め込まれて、収納室１２の内部が前面から見えるようになっている。
【０００３】
図７に示すように、断熱箱体１６の後面側には、収納室１２に対する物品出入口２０が開設されると共に、該物品出入口２０にはスライド扉２２がスライド自在に取付けられ、スライド扉２２を左右方向にスライドして物品出入口２０を開放することで、収納室１２に対する物品の出し入れを許容するよう構成される。前記断熱箱体１６における収納室１２の上側に形成される上部断熱層２６の下面には、冷却プレート３０が配設されている。前記冷却装置に接続する上部エバポレータ３４が、上部断熱層２６内部において冷却プレート３０に接触するよう配設され、上部エバポレータ３４に循環供給される冷媒によって冷却プレート３０を冷却して、収納室１２を間接的に冷却するよう構成される。
【０００４】
収納室１２の上方には、照明装置としての蛍光灯３６が、冷却プレート３０に固定された照明支持具３８を介して取付けられている。この蛍光灯３６は、透明な樹脂製カバー４０によって保護されて、洗浄時の水掛かりによる漏電や錆による劣化の防止を図ると共に、ネタ容器等を収納室１２に出し入れする際、容器が蛍光灯３６に接触して破損しないようになっている。また、蛍光灯３６は、照明支持具３８によって冷却プレート３０から所要間隔離間しており、該冷却プレート３０の熱交換面積が確保されている。
【特許文献１】特開平８−３２７２０９号公報
【発明の開示】
【発明が解決しようとする課題】
【０００５】
このように、従来の冷蔵ショーケース１０は、収納室１２を照らす照明装置として蛍光灯３６が採用されているが、前述の如く、冷却プレート３０の熱交換面積を確保するため、蛍光灯３６は該プレート３０から所要距離だけ離間している。従って、蛍光灯３６の突出分だけ収納室１２の容積が狭くなり、収納室１２のスペースを有効利用できず、また、大きな食材等を収納できない場合もあった。しかも、蛍光灯３６は使用時に熱を発生するため、この熱によって収納室１２が温められてしまう。このため従来の冷蔵ショーケース１０は、収納室１２を低温状態に保持するため大容量の冷却装置が必要となり、冷蔵ショーケース１０のランニングコストが嵩む原因となっていた。更に、蛍光灯３６は、長期の使用により色が褪せて、収納室１２に陳列された食材等の見た目が悪くなったり、収納室１２内が暗くなったりする事態が生じてしまう。
【０００６】
そこで本願発明者は、上記問題に鑑み、従来の蛍光灯３６に換えてＬＥＤ素子を利用した照明装置(ＬＥＤ照明装置)を採用することを発案し、このＬＥＤ照明装置を採用した発明「ショーケース」を特願２００６−１０４３０号(以下、先行出願という)として出願した。図８は、先行出願で提案された実施形態の１つを示す要部拡大図であって、ＬＥＤ照明装置１２１を所要のホルダ１２３を介してフロントガラス１０８の空間Ｓ内に設置することで、前記蛍光灯３６の使用に伴なう上記問題を好適に解決している。
【０００７】
ところで、図８に示す如く、フロントガラス１０８の空間Ｓに設置されたＬＥＤ照明装置１２１を使用した場合、該ＬＥＤ照明装置１２１から照射される照射光は、基本的に、収納室１２側のフロントガラス１０８(内ガラス１０８ｂ)を透過して庫内を照らすようになっている。しかしながら、図８の矢印が示すように、ＬＥＤ照明装置１２１の照射光のうち、前記内ガラス１０８ｂの内部で反射を繰り返した後に、収納室１２の外部(庫外)へ放出してしまう照射光(反射光Ｌ2,Ｌ3参照)が存在する。このように、ＬＥＤ照明装置１２１の照射光が内ガラス１０８ｂにより反射されて外部へ漏れてしまうと、ショーケース１１の前方側(客先側)からフロントガラス１０８の表面に光の点(光点Ｐ2,Ｐ3)が現れてしまい、ショーケース１１の美観が損なわれる問題が生じる。そこで、本願発明者は、前記ホルダ１２３の前方側に突出部１２３ａを形成し、庫外へ向かおうとする反射光の内、ＬＥＤ照明装置１２１の最近傍を通過するエネルギーの大きい反射光(図８の破線で示す反射光Ｌ1)については、突出部１２３ａによって遮蔽してしまうことを発案した。
【０００８】
これにより、外部に漏れる反射光のうち最もエネルギーが強い反射光Ｌ1を遮蔽することができ、該反射光Ｌ1がフロントガラス１０８にもたらす光点Ｐ1の発現を防止することが可能となった。すなわち、先行出願に係る発明においては、前記反射光Ｌ2,Ｌ3は反射を繰り返す過程で減衰されて前記光点Ｐ2,Ｐ3は前記反射光Ｌ1がもたらす光点Ｐ1に比べて目立ち難いものであるため、外部への放射が許容されていた。しかしながら、客席に面する最も視認され易いフロントガラス１０８は、より一層の美感向上が要求される箇所であり、フロントガラス１０８(内ガラス１０８ｂ)によるＬＥＤ照明装置１２１の反射光Ｌ1,Ｌ2,Ｌ3を如何にして遮断し得るのかが、新たな課題となっていた。
【０００９】
すなわち本願発明は、このような問題を好適に解決するべく提案されたものであって、透明板を介して反射する照明装置の光が外部に漏れるのを防止し得るショーケースを提供することを目的とする。
【課題を解決するための手段】
【００１０】
前記課題を克服し、所期の目的を達成するため、請求項１に係るショーケースは、
前面開口部に透明板が嵌め込まれた箱体に、物品を収納する収納室が内部画成されると共に、透明板の外側に収納室を照らす照明装置が設けられたショーケースにおいて、
前記透明板の外面における照明装置近傍に、透明板による照明装置の反射光を遮蔽する遮蔽部材が、光透過性を備えた粘着材を介して貼着され、
前記遮蔽部材における透明板への貼着面に凹凸状の散乱面を形成し、該散乱面に到来した前記反射光を散乱させて外部へ漏れるのを防止するようにした。
請求項１の発明によれば、遮蔽部材の透明板への貼着面に凹凸を付して散乱面を形成したので、透明板で反射して遮蔽部材に至った照明装置の反射光は散乱面によって散乱され、透明板による反射光が外部へ漏れるのを防止することができる。従って、ショーケースの外観が損なわれることがなく、また、外部から収納室内をはっきりと視認することが可能となる。更に、前記遮蔽部材を透明板に貼着する粘着材は透過性を備えているので、該粘着材によって照明装置の光が反射されることはなく、前記散乱面に確実に到達することができる。
【００１１】
請求項２に係るショーケースは、前記前面開口部に、一対の透明板を内外に所定間隔離間して対向配置することで、両透明板間に空間を画成した透明部材が嵌め込まれ、前記照明装置をホルダを介して空間に収納保持すると共に、内側の透明板における空間側に臨む面に、ホルダ近傍を通過して外部へ漏れる前記反射光を遮蔽するよう前記遮蔽部材を該ホルダに隣接させて貼着した。
請求項２の発明によれば、照明装置をホルダを介して一対の透明板からなる透明部材の空間内に設置した場合に、内側の透明板による照明装置の反射光が外部に漏れるのを防止することができる。
【００１２】
請求項３に係るショーケースは、前記ホルダの前端に前方へ向けて延出する保持部が形成され、該保持部と前記内側の透明板との間に前記遮蔽部材を貼着した。
請求項３の発明によれば、前記ホルダに遮蔽部材を保持する保持部を形成したので、遮蔽部材が外部から視認されることがなく、ショーケースの外観を更に向上させることができる。
【発明の効果】
【００１３】
本発明に係るショーケースによれば、透明板による照明装置の反射光が外部へ漏れるのを防止することが可能となる。
【発明を実施するための最良の形態】
【００１４】
次に、本発明に係るショーケースにつき、好適な実施例を挙げて、添付図面を参照して以下に説明する。なお、従来技術で説明した既出の部材については、同じ符号を付して詳細な説明は省略する。また実施例では、ショーケースとして、収納室が低温に温度調節される冷蔵ショーケースの場合で説明する。
【実施例】
【００１５】
図１に示すように、実施例に係る冷蔵ショーケース１００において、生鮮食材や飲料等の物品を冷蔵保存する収納室８６は、断熱構造の断熱箱体１６に内部画成されている。カウンタ等に冷蔵ショーケース１００を載置した際に客先に臨む断熱箱体１６の前面側に前面開口部５６が開設され、該開口部５６に透明なフロントガラス(透明部材)１０８が嵌め込まれて、収納室８６に収納した物品を前方外部から視認し得るようになっている。これに対し、断熱箱体１６の後面側には、物品出入口２０が開設されると共に、上下をレール５８,５８で保持された一対のスライド扉２２,２２が左右方向にスライド自在に配設され、該物品出入口２０を開閉可能に構成してある。なお、この物品出入口２０を開閉する扉については、実施例の如くスライド扉２２,２２に限られず、例えば、回動式の扉であってもよい。
【００１６】
前記断熱箱体１６における収納室８６の下側に形成される下部断熱層(断熱層)４２の上面には、収納室８６の底面を画成する底板２４が配設されている。また下部断熱層４２には、下部エバポレータ４４が底板２４と接触するよう蛇行状に配設され、該底板２４を冷却することで間接的に収納室８６を冷却するようになっている。なお、底板２４は、物品出入口２０側からフロントガラス１０８側に向けて下方傾斜し、底板２４に載置された簀の子６０の上に陳列した物品を前側から見易くしている。そして、底板２４の傾斜下端側には排水口４６が設けられ、この排水口４６に接続して下部断熱層４２内に配設された排水管４８を介して、収納室８６内に溜まった水を冷蔵ショーケース１００の外部に排出し得るようになっている。
【００１７】
収納室８６を冷却する冷却装置は、断熱箱体１６と隣接して一体的に配設されたキャビネットに内部画成した機械室１４に配設され、圧縮機、凝縮器、ファンモータおよび膨張弁等(何れも図示せず)から構成される(従来技術で説明した図６参照)。冷却装置は、圧縮機で圧縮された気化冷媒が、下流に位置する凝縮器でファンモータにより冷却されて凝縮液化し、膨張弁で減圧された液化冷媒が、上部エバポレータ３４および下部エバポレータ４４(何れも図１参照)で低温の気化冷媒となることで収納室８６を冷却し、再び圧縮機に帰還するサイクルを構成している。
【００１８】
断熱箱体１６の上部に形成された上部断熱層(断熱層)５４は、該断熱箱体１６のトップカバー１６ａに支持された上方ホルダ２８と、収納室８６の上面を形成する冷却プレート６２とによって画成された空間に断熱材３２が充填されて構成される。また、冷却装置に接続した前記上部エバポレータ３４が、冷却プレート６２に接触するよう蛇行配置されている。
【００１９】
前記フロントガラス１０８は、一対のガラス(透明板)１０８ａ,１０８ｂを内外に所定間隔離間するよう対向配置した、所謂ペアガラスであって、両ガラス１０８ａ,１０８ｂの間には、複数のスペーサ１１０(図１では、上下２つのスペーサ１１０,１１０を図示)によって所要のスペース(空間)Ｓが画成されている。各スペーサ１１０は、両ガラス１０８ａ,１０８ｂ間における端縁部の全周に亘って設けられ、両ガラス１０８ａ,１０８ｂ間の離間間隔を確保すると共に、スペースＳ内の雰囲気を収納室８６に対して密閉するようになっている。各スペーサ１１０の具体構成は、両ガラス１０８ａ,１０８ｂ間における夫々の端縁部に、アルミ等の金属からなるケース部材１１２を設け、各ケース部材１１２の内部に発泡ウレタン等の断熱材を収容したものである。なお、フロントガラス１０８の端縁部の全周は、シリコン等によるコーキングによってシールされており、両ガラス１０８ａ,１０８ｂ間のスペースＳは密閉状態に保持されている。また、下方側のスペーサ１１０の内部に乾燥剤８０が充填され、スペースＳの内部雰囲気は低湿潤に維持される。
【００２０】
図２に示すように、前記スペースＳの内部には、ＬＥＤ素子１２４を備えたＬＥＤ照明装置１２０が所要のホルダ１２２を介して配設されている。前記ホルダ１２２は、断面チャンネル状の本体部１３２と、該本体部１３２に一体的に形成されて前記スペーサ１１０と係合する係合部１３４とから構成される。そして、前記係合部１３４がスペーサ１１０を抱き込むように係合した状態で、ホルダ１２２が前記空間Ｓ内に配設されるようになっている。前記本体部１３２は、下方、すなわち収納室８６側に向けて開放すると共に、その内部にＬＥＤ照明装置１２０を収容し得るようになっている。また、本体部１３２の内部には、ＬＥＤ照明装置１２０を所要角度傾斜させた状態で保持するリブ１３８が複数形成されている。すなわち、前記リブ１３８によりＬＥＤ照明装置１２０を傾斜した状態で保持することで、前記ＬＥＤ素子１２４の照射方向を、収納室８６内を好適に照らし得る方向に指向させるよう構成される。
【００２１】
冷蔵ショーケース１００の前方側に臨む前記本体部１３２は、非透明または半透明な合成樹脂等から形成されており、ＬＥＤ照明装置１２０の光が冷蔵ショーケース１００の前方および上方側へ直接照射されないようになっている。更に、本体部１３２を非透明または半透明とすることで、ＬＥＤ照明装置１２０の基板１２６(後述)等が外部から見えてしまうのを防止している。前記本体部１３２における外側に位置する外ガラス１０８ａと当接する部位の縁部には、スペーサ１１０側へ向けて前記係合部１３４が延出しており、該係合部１３４はスペーサ１１０に係合するよう構成される。すなわち、アルミ等の金属からなり剛性を備えたスペーサ１１０のケース部材１１２に係合部１３４が係合することで、ホルダ１２２を長尺とした場合においても反りが生じ難くなり、ホルダ１２２をスペーサ１１０に沿って直線的に固定することが可能となる。また、この係合部１３４における上方側の面は前記外ガラス１０８ａの内面(空間Ｓ側の面)に当接するようになっており、係合部１３４は両面テープ１１４等によって外ガラス１０８ａに接着される。なお、スペーサ１１０も、内側に位置する内ガラス１０８ｂの内面(空間Ｓ側に臨む面であって、収納室８６に対しての外面)を両面テープ１１４によって接着することで固定されている。
【００２２】
前記内ガラス１０８ｂのスペースＳ側におけるホルダ１２２の係合部１３４の反対側に臨む部位には、後述の遮蔽部材５０を収容可能な保持部２０２が形成されている。すなわち、この保持部２０２は、内ガラス１０８ｂのスペースＳ側において、前記本体部１３２における前記スペーサ１１０の反対側の前端部１２２ａから前方側へ延出するよう形成されている。そして、ＬＥＤ照明装置１２０をスペースＳに設けた際に、内ガラス１０８ｂによるＬＥＤ照明装置１２０の照射光のうち、前記ホルダ１２２に最も近接して通過する反射光Ｌ1(図２参照)を保持部２０２が遮るようになっている。従って、前記保持部２０２の前方側への延出長さは、前記反射光Ｌ1のみを遮蔽し得る最低限の長さ寸法に設定すればよい。更に、図３に示すように、前記保持部２０２の内ガラス１０８ｂ側には、該内ガラス１０８ｂとの間に遮蔽部材５０を収容するための隙間Ｔが画成されている。
【００２３】
前記遮蔽部材５０は、非透過性の素材から形成された、例えばテープ等であって、遮蔽部材５０の両面に透過性を備えた透明な接着糊(粘着材)５２が所要厚みで塗布される。そして、遮蔽部材５０は保持部２０２の隙間Ｔ内に収納されて、遮蔽部材５０の両面が保持部２０２および内ガラス１０８ｂに貼着される。すなわち、図３に示すように、前記接着糊５２を介して、遮蔽部材５０の外側の面が保持部２０２に貼着されると共に、遮蔽部材５０の収納室８６側の面(庫内側で内ガラス１０８ｂに対する貼着面)が内ガラス１０８ｂのスペースＳ側の面に接着されるようになっている。更に、遮蔽部材５０の収納室８６側の面には、凹凸状の散乱面５８が形成され、内ガラス１０８ｂで反射した前記ＬＥＤ照明装置１２０の反射光Ｌを乱反射させる機能を有している。すなわち、図３に示すように、内ガラス１０８ｂ内で反射を繰り返したＬＥＤ照明装置１２０の反射光Ｌを、前記散乱面５８が各方向へ分散させて、反射光Ｌを減衰させるようになっている。これにより、図３の破線矢印が示すように、反射光Ｌが遮蔽部材５０に反射して収納室８６の外部へ漏れるのを防止することができる。すなわち、図３の破線で示す反射光Ｌ1の外部放射を阻止し得ると共に、前述した図８で示す構造では防止できなかった反射光Ｌ2,Ｌ3等の外部放射も阻止することが可能となる。
【００２４】
実施例において使用されるＬＥＤ照明装置１２０は、複数かつ同色のＬＥＤ素子１２４を基板１２６に１列に直線状に配設し、この基板１２６を直列に複数連ねて構成される。すなわち、図４に示すように、幅方向に所要長さで延在する基板１２６に、複数のＬＥＤ素子１２４を１列に並べたものを１ユニットとし、このユニットを複数直列に連結させてＬＥＤ照明装置１２０を構成している。また、各ユニットの連結は、各基板１２６の両端部に設けたコネクタ１２８,１２８を、中継線１３０を介して接続することで行なわれる。従って、収納室８６の幅寸法に応じてユニットの連結数を変更することで、収納室８６内を所望の明るさで照らすことが可能となる。例えば、収納室８６の幅寸法を８４５ｍｍとし、幅寸法が２６０ｍｍの基板１２６に、０．０８Ｗの白色ＬＥＤ素子１２４を１２個設けたものを１ユニットとすると、このユニットを３つ連結すれば十分な明るさが確保される。なお、実施例においては、ＬＥＤ素子１２４を１色のみ採用した場合を示したが、複数色のＬＥＤ素子を設置することも可能である。
【００２５】
(実施例の作用)
次に、実施例に係る冷蔵ショーケース１００の作用について説明する。ＬＥＤ照明装置１２０を前記空間Ｓ内に配設する際には、先ず始めに、前記ホルダ１２２内にＬＥＤ照明装置１２０を収容する。すなわち、前記リブ１３８に基板１２６を係合固定して、ＬＥＤ照明装置１２０を所要角度傾斜した状態でホルダ１２２内に保持する。この時、ＬＥＤ照明装置１２０は各リブ１３８によって位置決め(仮固定)がなされるので、ＬＥＤ照明装置１２０の組付け作業は効率的に行ない得る。
【００２６】
次に、前記係合部１３４をスペーサ１１０に係合させて、ホルダ１２２をスペーサ１１０に沿って配設する。すなわち、スペーサ１１０のケース部材１１２は所要の剛性を備えてフロントガラス１０８に直線的に固定されており、係合部１３４がケース部材１１２を抱き込むようにして係合することで、ホルダ１２２に反りが発生し難くなり真っ直ぐに配置することが可能となる。従って、ホルダ１２２の反りを修正するための工程が必要でなく、ホルダ１２２の取付作業が効率的となる。また、前記遮蔽部材５０の両面に前記接着糊５２を塗布し、保持部２０２の隙間Ｔに収容した状態で遮蔽部材５０の外側の面を保持部２０２に貼着する。そして、係合部１３４の上方側の面と外ガラス１０８ａのスペースＳ側の面とを両面テープ１１４によって貼り付けることで、ＬＥＤ照明装置１２０はホルダ１２２と共にスペースＳ内に設けられる。これと同時に、遮蔽部材５０の散乱面５８が内ガラス１０８ｂに接着糊５２を介して貼り付けられ、ホルダ１２２および遮蔽部材５０が前記スペースＳ内に固定される。
【００２７】
前記ＬＥＤ照明装置１２０を作動させる際には、機械室１４の後面に配設された図示しない電源スイッチをＯＮにする。すると、ＬＥＤ照明装置１２０から照射された照射光が前記内ガラス１０８ｂを透過し収納室８６を照らす。このとき、図２に示すように、ＬＥＤ照明装置１２０の照射光のうち、内ガラス１０８ｂの内部で反射を繰り返して冷蔵ショーケース１００の前方側へ進行する反射光Ｌが存在する。しかしながら、この反射光Ｌは遮蔽部材５０により遮蔽されて、図２に示す如く、最もエネルギーの強い反射光Ｌ1が外部へ漏れるのは防止される。しかも、前記遮蔽部材５０の散乱面５８は凹凸状に形成されているので、該散乱面５８に反射光Ｌが到達すると、図３に示すように反射光Ｌは各方向へ散乱される。すなわち、前記反射光Ｌは散乱面５８で散乱されることで減衰され、図３の反射光Ｌ2の如く、反射光Ｌが遮蔽部材５０に更に反射して外部へ漏れることがなく、冷蔵ショーケース１００の美観が損なわれることがない。すなわち、最もエネルギーの強い前記反射光Ｌ1は遮蔽部材５０によって遮蔽されると共に、図８で説明した先行出願に係る発明では外部に漏れていた反射光Ｌ2,Ｌ3についても、その発生を防止することができる。しかも、前記遮蔽部材５０と内ガラス１０８ｂとの間に介在する接着糊５２は透過性を備えているので、前記反射光Ｌは接着糊５２によっても反射されることがなく、確実に散乱面５８に到達することができる。
【００２８】
以上に示したように、実施例に係る冷蔵ショーケース１００は、収納室８６(内ガラス１０８ｂ)側の面に凹凸状の散乱面５８が形成された遮蔽部材５０を配設したので、内ガラス１０８ｂで反射したＬＥＤ照明装置１２０の反射光Ｌは散乱面５８によって散乱され、該反射光Ｌが外部へ漏れるのを防止することができる。従って、冷蔵ショーケース１００の外観が損なわれることがなく、また、外部から収納室８６内をはっきりと視認することが可能となる。更に、前記遮蔽部材５０を内ガラス１０８ｂに貼着する接着糊５２は透過性を備えているので、前記反射光Ｌが接着糊５２に反射することもなく、遮蔽部材５０の散乱面５８に確実に到達させることができる。また、前記ホルダ１２２に遮蔽部材５０を保持する保持部２０２を形成したので、遮蔽部材５０がフロントガラス１０８を介して外部から視認されることはなく、冷蔵ショーケース１００の外観が損なわれるのを防ぐことができる。
【００２９】
なお、ＬＥＤ照明装置１２０は所要角度傾斜した状態でホルダ１２２に収容されるので、収納室８６の必要箇所を好適に照らすことができる。また、前記ホルダ１２２の本体部１３２は非透明または半透明な材質としたので、ＬＥＤ素子１２４の光が前方または上方側に直接照射されることはなく、前方側に位置する客や、上方側に位置する寿司職人等が眩しいと感じることもない。更に、ＬＥＤ照明装置１２０の基板１２６等が外部から見えることがなく、この点においても、冷蔵ショーケース１００の美観が損なわれることがない。しかも、前記保持部２０２が前方側へ延出する長さは、前記反射光Ｌ1を遮るのに必要な最低限の値に設定すればよい。従って、前記保持部２０２の面積がより小さくなって外部の光が庫内に侵入し易くなり、庫内を更に明るく維持し得る。また、保持部２０２の面積が小さくなることで、該ホルダ１２２の製造コストも低廉となる。
【００３０】
なお、実施例で示した冷蔵ショーケース１００においては、前記遮蔽部材５０をホルダ１２２の保持部２０２に収容した状態で内ガラス１０８ｂに貼着した。しかしながら、遮蔽部材５０を必ずしもホルダ１２２の保持部２０２に収容する必要はなく、前記内ガラス１０８ｂによるＬＥＤ照明装置１２０の反射光のうち、該ＬＥＤ照明装置１２０の最も近くを通過する反射光Ｌ1を遮る位置に遮蔽部材５０を設置すればよい。従って、例えば、前記ホルダ１２２に保持部２０２を形成せず、遮蔽部材５０をホルダ１２２の前端部１２２ａの近傍に貼着してもよい。また、実施例では、ＬＥＤ照明装置１２０をホルダ１２２を介してフロントガラス１０８のスペースＳ内に配設したが、必ずしもホルダ１２２によってＬＥＤ照明装置１２０を支持する必要はなく、ＬＥＤ照明装置１２０をフロントガラス１０８に直接取付けてもよい。更に、実施例では、遮蔽部材５０としてテープを採用した場合を例示したが、薄板状で反射光を遮蔽し得る部材であれば、例えば、プラスチック等から遮蔽部材を構成してもよい。また、実施例では、粘着材として接着糊５２を採用したが、透過性を備えたものであれば、接着剤等、他の貼着性を有するものに変更してもよい。更には、実施例では、遮蔽部材と接着糊とを別部材として構成したが、遮蔽部材と接着糊(粘着材)とが予め一体となっている、例えば、光を遮蔽し得る両面テープ等を採用することもできる。
【００３１】
また、実施例では、照明装置としてＬＥＤ素子１２４を使用したＬＥＤ照明装置１２０を採用した場合を示したが、他の発光素子を使用した照明装置を採用することも可能である。すなわち、透明部材(フロントガラス１０８)に照明装置を設置し、透明板(内ガラス１０８ｂ)に反射した反射光が該照明装置の近傍を通過するような構成であれば、本発明を適用することが可能である。更に、実施例では、透明部材として一対のガラス１０８ａ,１０８ｂからなるペアガラスを採用したが、単一のガラス(透明板)から透明部材を構成してもよい。この場合、照明装置および遮蔽部材は、単一のガラスの外側(収納室８６の外側)に取付けられることとなる。また、透明板を透明なプラスチック等から構成することも可能である。
【００３２】
更に、実施例においては、収納室８６内を冷却する冷蔵ショーケース１００を挙げて説明を行なったが、収納室８６をヒータ等で所定温度に加温して物品を加温状態で貯蔵するショーケース等、その他の構成の各種ショーケースであってもよい。
【００３３】
なお、本発明に係るショーケースと同様な作用・効果を有する構成として、図５に示すショーケース１０１が挙げられる。このショーケース１０１においては、実施例で示したホルダ１２２のうち保持部２０２を省略したものが採用され、前記内ガラス１０８ｂのスペースＳ側における前記前端部１２２ａの近傍に、凹凸状のキズが設けられている。そして、このキズ付けられた凹凸面２０４が実施例で示した散乱面５８として機能し、内ガラス１０８ｂによるＬＥＤ照明装置１２０の反射光Ｌを凹凸面２０４で散乱させるようになっている。これにより、本発明に係るショーケースと同様に、内ガラス１０８ｂによるＬＥＤ照明装置１２０の反射光Ｌが減衰されて、強い光が外部へ漏れるのを抑制し得る。
【図面の簡単な説明】
【００３４】
【図１】実施例に係る冷蔵ショーケースを示す断面図である。
【図２】実施例の冷蔵ショーケースの要部を示す拡大図である。
【図３】内ガラスに貼着された遮蔽部材を示す拡大図である。
【図４】実施例で使用されるＬＥＤ照明装置を示す概略説明図である。
【図５】変更例に係る冷蔵ショーケースの要部を示す拡大図である。
【図６】従来の冷蔵ショーケースを示す全体斜視図である。
【図７】図６に示す冷蔵ショーケースの断面図である。
【図８】先行出願に係る冷蔵ショーケースの要部を示す拡大図である。
【符号の説明】
【００３５】
１６ 断熱箱体(箱体), ５０，遮蔽部材，５２ 接着糊(粘着材)
５６ 前面開口部，５８ 散乱面，８６ 収納室
１０８ フロントガラス(透明部材)，１０８ａ 外ガラス(透明板)
１０８ｂ 内ガラス(透明板)，１２０ ＬＥＤ照明装置(照明装置)
１２２ ホルダ，２０２ 保持部，Ｓ スペース(空間)，Ｌ 反射光
Ｌ1 反射光
【図１】
2007289350.tif 000003
【図２】
2007289350.tif 000004
【図３】
2007289350.tif 000005
【図４】
2007289350.tif 000006
【図５】
2007289350.tif 000007
【図６】
2007289350.tif 000008
【図７】
2007289350.tif 000009
【図８】
2007289350.tif 000010